(57)【要約】【課題】  浴室やシャワー室の設備改変や特別な維持費を必要とすることなく、シャワー使用者に快適な温度環境を与えることのできる椅子を提供。【解決手段】 温水受入口５と、シャワー接続部６と、温水受入口５からシャワー接続部６に至る温水通路７と、シャワー接続部６に接続されるシャワー器具１０とを備え、前記温水通路７の少なくとも一部はシート部１に配設されてシート部１を暖めるように構成されている。【選択図】図１
2007289280.tif 000002
【特許請求の範囲】
【請求項１】
温水受入口と、シャワー接続部と、温水受入口からシャワー接続部に至る温水通路と、シャワー接続部に接続されるシャワー器具とを備え、前記温水通路の少なくとも一部はシート部に配設されてシート部を暖めるように構成されていることを特徴とする椅子。
【請求項２】
温水通路はシート部に配設された後、背もたれ部に配設されて背もたれ部を暖めるように構成されている請求項１記載の椅子。
【請求項３】
温水通路のシート部配設箇所の温水受入口近傍にドレン抜き部が設けられている請求項１または２記載の椅子。
【請求項４】
温水通路のドレン抜き部より上流箇所に、温水温度を測定する温度センサを設け、この温度センサで測定した温度に応じて、ドレン抜き部の開閉を自動的に行うように構成した請求項３記載の椅子。
【発明の詳細な説明】
【技術分野】
【０００１】
本発明は主として浴室やシャワー室で使用する椅子に関し、特に要介護老人用の椅子として好適なものに関する。
【背景技術】
【０００２】
要介護老人が浴室やシャワー室においてのシャワーサービスを受けるときに、快適な環境下でそれがなされることが望まれる。通常、椅子に座った要介護老人に対し介護人による身体洗浄サービスが行なわれているが、浴室やシャワー室の室温が低い場合には要介護老人に苦痛を与えている。
【０００３】
このような問題点を解決するには、浴室やシャワー室の室温を適正な温度に保ったり、あるいは電気等を利用した暖房椅子を用いればよいが、その為には設備費や維持費が高くつくという問題がある。
【０００４】
なお、浴室やシャワー室で使用する要介護老人用の椅子に関する実用新案が公知となっているが、この公知のものは本発明の課題とは異なる課題を解決しようとするものである（特許文献１）。
【特許文献１】実用新案登録第３０６７５６４号公報
【発明の開示】
【発明が解決しようとする課題】
【０００５】
本発明は浴室やシャワー室の設備改変や、特別な維持費を必要とすることなく、要介護老人等のシャワー使用者に快適な温度環境を与えて、身体洗浄を可能とした椅子を提供することを目的とする。
【課題を解決するための手段】
【０００６】
本発明の椅子は、上記目的を達成するため、温水受入口と、シャワー接続部と、温水受入口からシャワー接続部に至る温水通路と、シャワー接続部に接続されるシャワー器具とを備え、前記温水通路の少なくとも一部はシート部に配設されてシート部を暖めるように構成されていることを特徴とする。
【発明の効果】
【０００７】
本発明によれば、温水供給可能な蛇口等の浴室やシャワー室に既存の温水供給部と本発明の椅子に設けた温水受入口とを接続するだけで、シャワー器具に供給される温水を利用して、シート部を暖めることができる。この椅子に座してシャワー温水を利用する人にとって、前記シート部による臀部の暖房は、快適なものとなる。このように、本発明によれば浴室やシャワー室の設備改変や、特別な維持費を必要とすることなく、シャワー使用者の臀部を暖めて快適な温度環境を与えうる椅子を提供することができる。
【発明を実施するための最良の形態】
【０００８】
本発明の実施例を図面を参照しつつ以下説明する。
【０００９】
本実施例は要介護老人用に開発された合成樹脂製の椅子に係り、シート部１、背もたれ部２、４本の脚部３、それぞれの脚部３の下端に設けたキャスター４を備え、この椅子に座した要介護老人を、別室より浴室やシャワー室に運び、ここでシャワーサービスを受けうるようにしたものである。前記キャスター４は、シャワーサービスを受けるときにブレーキをかけられるようにロック装置（図示省略）を有していることが好ましい。
【００１０】
前記シート部１および背もたれ部２には、一端が温水受入口５となり、他端がシャワー接続部６となる温水通路７が設けられている。温水受入口５はシート部１の前側隅部適所に固定した金属パイプ５ａによって構成され、シャワー接続部６は背もたれ部２の上辺一端部適所に固定した金属パイプ６ａによって構成されている。これら金属パイプ５ａ、６ａはシート部１または背もたれ部２に接着剤を用いて固定されている。温水通路７は、先ずシート部１の温水受入口５より、その点対称位置にある後側隅部に向けて蛇行するように形成され、次いで背もたれ部２に至って、ここから背もたれ部２における点対称位置にある前記シャワー接続部６に向けて蛇行するように形成されている。
【００１１】
本実施例においては、側面視Ｌ字状の合成樹脂製上板８と側面視Ｌ字状の合成樹脂製下板９とを接合して、前記シート部１および背もたれ部２を一体となるように形成し、上板８の内面に形成した凹溝と、下板９の内面に形成した凹溝とを、合致させることによって温水通路７を構成している。前記温水通路７の構成法としては、通常構造の椅子に温水通路を形成した通路形成板を貼り合わせる等の構成法を採用してもよい。
【００１２】
前記シャワー接続部６には、ホース１０ａおよびシャワーノズル１０ｂからなるシャワー器具１０が接続されている。シャワー器具１０のホース１０ａはシャワー接続部６の金属パイプ６ａに着脱可能に接続されるように構成することが好ましく、図示していないがワンタッチ着脱手段を備えた構成とすることが最適である。背もたれ部２の側部には前記シャワーノズル１０ｂを着脱自在に保持する保持金具１１が固着されている。
【００１３】
前記温水受入口５は、浴室やシャワー室に既設されている温水供給可能な蛇口１２にホース１３を介して接続される。この場合も、前記ホース１３は温水受入口５の金属パイプ５ａに着脱可能に接続されるように構成することが望ましく、図示していないがワンタッチ着脱手段を備えた構成とすることが最適である。
【００１４】
前記温水通路７のシート部配設箇所の温水受入口５近傍にドレン抜き部１４が設けられている。具体的には、温水受入口５から直線状に延びる温水通路始端部の後端でＵ字状に屈曲し始める位置に、シート部１より下方に突出する開閉弁付き金属パイプ１４ａを設けることにより、前記ドレン抜き部１４を構成している。このドレン抜き部１４は温水通路７内の温水を排出する作用を営むと共に、冷水や熱水がシート部１の中央部に送られることを防ぐ作用を営む。
【００１５】
冷水や熱水がシート部１の中央部に送られることを自動的に防止するためには、図２に仮想線で示すように、温水通路７のドレン抜き部１４より上流箇所に、温水温度を測定する温度センサ１５を設け、この温度センサ１５で測定した温度に応じて、ドレン抜き部１４の開閉を自動的に行なう自動開閉弁１６を設ければよい。
【００１６】
また前記ドレン抜き部１４から排出された温水を、浴槽に供給するような構成とすることができる。
【００１７】
上記構成によれば、浴室やシャワー室に要介護老人を乗せて運ばれてきた椅子本体に、シャワー器具１０のホース１０ａと蛇口１２からのホース１３とを接続することにより、要介護老人はシャワーサービスを受けることが可能となる。そして蛇口１２から送られてきた温水は、温水通路７を流れる間にシート部１および背もたれ部２を暖め、要介護老人に快適な温度環境を与える。そして椅子を暖めた温水を利用して、要介護老人はシャワーサービスを受けることができる。
【００１８】
本発明は上記実施例に示す外、種々の態様に構成することができる。例えば、背もたれ部２を有しない椅子に本発明を適用することが可能で、この場合にはシート部１のみを温水で暖める構成とすることができる。またこの場合には、シート部１にシャワー接続部６が形成されることになるが、この際シャワー器具１０の保持のためのスタンドをシート部１に立設すると好適である。また通常の人が浴室やシャワー室で使用する椅子に本発明を適用することができる。
【産業上の利用可能性】
【００１９】
本発明は、浴室やシャワー室で、既存の設備を用いながら温度環境を好適としうるシャワー使用時の椅子に利用されるものである。
【図面の簡単な説明】
【００２０】
【図１】本発明の実施例を示す斜視図。
【図２】その要部の縦断面図。
【符号の説明】
【００２１】
１ シート部
２  背もたれ部
５  温水受入口
６  シャワー接続部
７  温水通路
１０  シャワー器具
１４  ドレン抜き部
１５  温度センサ
【図１】
2007289280.tif 000003
【図２】
2007289280.tif 000004